(57)【要約】【課題】  表示情報制御装置および方法を開示する。【解決手段】  表示情報制御装置は、１つ以上のアイコンのディスプレイ上の位置とユーザから入力された入力信号と対応するディスプレイ上の位置に基づいて、１つ以上のアイコンのうちから少なくとも１つのアイコンを選択し、選択されたアイコンに対応する予め定められた動作を実行することにより、１つ以上のアイコンを直観的に処理することができる。【選択図】      図１
2010165343.tif 000002
【特許請求の範囲】
【請求項１】
少なくとも１つ以上のアイコンをディスプレイ上に表示する表示部と、
前記少なくとも１つ以上のアイコンに対応する第１領域および入力部によって定義されて表示される前記表示部上の位置を表示する第２領域に対する第１比較に基づいて前記少なくとも１つ以上のアイコンを選択する選択部と、
前記選択された少なくとも１つ以上のアイコンが維持される間、第１領域および第２領域の第２比較に基づいて前記選択された少なくとも１つ以上のアイコンによって提供される情報に対応し、予め定められた動作を制御する制御部と、
を備えることを特徴とする表示情報制御装置。
【請求項２】
前記１つ以上のアイコンは、ファイルまたはフォルダのうちの少なくとも１つと関連することを特徴とする請求項１に記載の表示情報制御装置。
【請求項３】
前記選択部は、前記第１領域および前記第２領域の位置に基づいて、前記少なくとも１つのアイコンを選択することを特徴とする請求項１に記載の表示情報制御装置。
【請求項４】
前記選択部は、前記第１領域と前記第２領域の間の距離に基づいて、前記少なくとも１つのアイコンを選択することを特徴とする請求項１に記載の表示情報制御装置。
【請求項５】
前記第２領域が前記第１領域の中央からの所定の距離で定義される前記第１領域の境界と交差し、前記第１領域が前記少なくとも１つのアイコンを含む場合、前記選択部は、前記少なくとも１つのアイコンを選択することを特徴とする請求項１に記載の表示情報制御装置。
【請求項６】
前記所定の距離は、前記第１領域の中央からすべての方向に等しい距離を維持することを特徴とする請求項５に記載の表示情報制御装置。
【請求項７】
前記予め定められた動作は、前記第１領域の中心と、前記第１領域と重畳する前記第２領域の境界の間の複数の位置測定に基づいて制御されることを特徴とする請求項５に記載の表示情報制御装置。
【請求項８】
前記選択部は、前記第１領域の第１境界内の第２境界が他のアイコンを含む他の第１領域の他の第２境界と交差するかを決定し、前記決定に基づいて前記第１領域の範囲を決定して前記少なくとも１つのアイコンを選択し、
前記第１領域の範囲は、前記少なくとも１つのアイコンに対する前記第１境界と、前記決定の結果に基づいた他のアイコンの第１境界の組み合わせで定義されることを特徴とする請求項５に記載の表示情報制御装置。
【請求項９】
前記第２領域が前記第１領域と重畳する間、前記制御部は、前記少なくともいずれか１つのアイコンおよび他のアイコンを含む前記第１領域のそれぞれの第２領域を考慮した、前記第２領域の境界に対する複数の位置測定に基づく前記予め定められた動作を制御することを特徴とする請求項８に記載の表示情報制御装置。
【請求項１０】
前記制御部は、前記第１領域および前記第２領域が重畳して測定される測定時間を考慮して前記予め定められた動作を制御し、
前記予め定められた動作は、前記測定時間に基づいた前記第１領域内のアイコンに対する互いに異なる相互作用の制御であることを特徴とする請求項８に記載の表示情報制御装置。
【請求項１１】
前記制御部は、前記第１領域内の残存アイコンと、互いに異なるように前記第２領域と接近した前記第１領域内のアイコンを制御する前記互いに異なる相互作用を制御し、前記測定時間経過後には前記残存アイコンに対する制御は終了し、前記第２領域と接近した前記第１領域内のアイコンの制御を維持することを特徴とする請求項１０に記載の表示情報制御装置。
【請求項１２】
前記互いに異なる相互作用は、前記第１領域内のそれぞれのアイコンに対応するオーディオを再生することを含み、前記測定時間経過後、前記残存アイコンに対応するオーディオ音量が停止するように制御され、他の測定時間の間、前記接近したアイコンのオーディオが再生されるように制御されることを特徴とする請求項１１に記載の表示情報制御装置。
【請求項１３】
前記制御部は、前記入力部に対する感知された指示方向に基づいて前記予め定められた動作を制御し、
前記予め定められた動作は、前記感知された指示方向に基づく前記第１領域内のアイコンとの相互作用に対するそれぞれの制御を含むことを特徴とする請求項８に記載の表示情報制御装置。
【請求項１４】
前記相互作用に対するそれぞれの制御は、前記感知された指示方向に基づく前記第１領域内のそれぞれのアイコンに対応するオーディオの再生を含み、
前記制御部は、前記指示方向の変化に基づく前記第１領域内の少なくとも１つのアイコンに対応するオーディオに対する音量を制御することを含む請求項１３に記載の表示情報制御装置。
【請求項１５】
前記制御部は、前記入力部の感知された指示方向に基づいて前記予め定められた動作を制御することを特徴とする請求項１に記載の表示情報制御装置。
【請求項１６】
前記予め定められた動作は、前記感知された指示方向に基づいて前記少なくとも１つのアイコンに対応するオーディオの再生を含み、
前記制御部は、前記入力部の指示方向の変化に基づいて前記少なくとも１つのアイコンに対応するオーディオの音量を制御することを特徴とする請求項１５に記載の表示情報制御装置。
【請求項１７】
前記選択された少なくとも１つのアイコンがメディアファイルと関連するアイコンを含む場合、前記制御部は、前記メディアファイルを再生するように制御することを特徴とする請求項１に記載の表示情報制御装置。
【請求項１８】
前記制御部は、前記メディアファイルのハイライト部分を再生するように制御することを特徴とする請求項７に記載の表示情報制御装置。
【請求項１９】
前記メディアファイルのハイライト部分は、前記選択された少なくとも１つのアイコンの選択以前に予め選定された前記メディアファイルの部分であることを特徴とする請求項１８に記載の表示情報制御装置。
【請求項２０】
前記制御部は、前記第１領域および前記第２領域の位置に基づいて、前記再生されるメディアファイルの音量を調節して前記メディアファイルを再生するように制御することを特徴とする請求項１７に記載の表示情報制御装置。
【請求項２１】
前記入力部は、前記第１領域に対応する第２入力信号をさらに受信し、
前記制御部は、前記メディアファイルのファイル情報を前記ディスプレイ上に表示するように制御することを特徴とする請求項１７に記載の表示情報制御装置。
【請求項２２】
前記選択された少なくとも１つのアイコンが文書ファイルと関連するアイコンを含む場合、前記制御部は、前記文書ファイルの内容および前記文書ファイルのファイル情報のうちの少なくとも１つを前記ディスプレイ上に表示するように制御することを特徴とする請求項１に記載の表示情報制御装置。
【請求項２３】
前記制御部は、前記第１領域および前記第２領域の位置に基づいて、前記文書ファイルの内容の容量または前記文書ファイルのファイル情報の容量のうちの少なくとも１つを調節して前記ディスプレイ上に表示するように制御することを特徴とする請求項２２に記載の表示情報制御装置。
【請求項２４】
前記ファイル情報は、タイトル、要約、およびキーワードのうちの少なくとも１つを含むことを特徴とする請求項２２に記載の表示情報制御装置。
【請求項２５】
前記制御部は、前記少なくとも１つ以上のアイコンを選択する前記第１領域および前記第２領域に対する前記第１比較後の所定の期間以後、前記選択された少なくとも１つ以上のアイコンの選択を制御することを特徴とする請求項１に記載の表示情報制御装置。
【請求項２６】
前記制御部は、重畳する前記第１領域と前記第２領域、および前記重畳する前記第１領域と前記第２領域の重畳して維持される測定時間に基づいて、前記選択された少なくとも１つ以上のアイコンによって提供される情報を制御することを特徴とする請求項１に記載の表示情報制御装置。
【請求項２７】
前記選択された少なくとも１つのアイコンがイメージファイルと関連するアイコンを含む場合、前記制御部は、前記イメージファイルのプレビューイメージを前記ディスプレイ上に表示するように制御することを特徴とする請求項１に記載の表示情報制御装置。
【請求項２８】
前記選択された少なくとも１つのアイコンが複数のイメージファイルを格納するフォルダと関連するアイコンを含む場合、前記制御部は、前記複数のイメージファイルのうちの少なくとも１つのイメージファイルのプレビューイメージを前記ディスプレイ上に表示するように制御することを特徴とする請求項１に記載の表示情報制御装置。
【請求項２９】
前記制御部は、前記第１領域および前記第２領域の位置に基づいて、前記ディスプレイ上に表示される前記プレビューイメージの数を調節することを特徴とする請求項２８に記載の表示情報制御装置。
【請求項３０】
前記入力部は、タッチパネル、マウス、赤外線センサ、カメラ、静電容量センサ、および電界センサのうちの少なくとも１つを介して前記ユーザから前記入力信号を受信する第１入力部であることを特徴とする請求項１に記載の表示情報制御装置。
【請求項３１】
前記入力部は、前記第１領域と重畳するように決定された前記第２領域に基づいて、前記少なくとも１つ以上のアイコンのための動作を処理するように制御する第２入力部をさらに備え、
前記第２入力部は、前記第１入力部と相違し、前記第２領域に対応することを特徴とする請求項３０に記載の表示情報制御装置。
【請求項３２】
前記第１領域および前記第２領域のうちの少なくとも１つを格納するデータベース、
をさらに備えることを特徴とする請求項１に記載の表示情報制御装置。
【請求項３３】
前記データベースは、
前記選択された少なくとも１つのアイコンに対するリストをさらに格納することを特徴とする請求項３２に記載の表示情報制御装置。
【請求項３４】
前記選択された少なくとも１つのアイコンに対するリストは、
それぞれのアイコンに対する相対的な第１領域が重畳していないアイコンに対するリストを含むことを特徴とする請求項３３に記載の表示情報制御装置。
【請求項３５】
少なくとも１つ以上のアイコンをディスプレイ上に表示するステップと、
前記少なくとも１つ以上のアイコンに対応する第１領域および入力部によって定義されて表示される前記表示部上の位置を表示する第２領域に対する第１比較に基づいて、前記少なくとも１つ以上のアイコンを選択するステップと、
前記選択された少なくとも１つ以上のアイコンが維持される間、前記第１領域および第２領域の第２比較に基づいて前記選択された少なくとも１つ以上のアイコンによって提供される情報に対応し、予め定められた動作を実行するステップと、
を含むことを特徴とする表示情報制御方法。
【請求項３６】
前記１つ以上のアイコンは、ファイルまたはフォルダのうちの少なくとも１つと関連することを特徴とする請求項３５に記載の表示情報制御方法。
【請求項３７】
前記少なくとも１つのアイコンを選択するステップは、前記第１領域および前記第２領域の位置に基づいて、前記少なくとも１つのアイコンを選択することを特徴とする請求項３５に記載の表示情報制御方法。
【請求項３８】
前記少なくとも１つのアイコンを選択するステップは、前記第１領域と前記第２領域の間の距離に基づいて、前記少なくとも１つのアイコンを選択することを特徴とする請求項３５に記載の表示情報制御方法。
【請求項３９】
前記少なくとも１つのアイコンを選択するステップは、前記第２領域から所定の設定された距離内に位置する第１領域上に存在する前記少なくとも１つのアイコンを選択することを特徴とする請求項３５に記載の表示情報制御方法。
【請求項４０】
前記選定された距離は、前記第１領域の中央からすべての方向に等しい距離を維持することを特徴とする請求項３９に記載の表示情報制御方法。
【請求項４１】
予め定められた動作を実行する前記ステップは、
前記第１領域の中心と、前記第１領域と重畳する前記第２領域の境界の間の複数の位置測定に基づいて制御されることを特徴とする請求項３９に記載の表示情報制御方法。
【請求項４２】
前記少なくとも１つ以上のアイコンを選択する前記ステップは、
前記第１領域の第１境界内の第２境界が異なるアイコンを含む他の第１領域の他の第２境界と交差するかを決定し、前記決定に基づいて前記第１領域の範囲を決定して前記少なくとも１つのアイコンを選択するステップを含み、
前記第１領域の範囲は、前記少なくとも１つのアイコンに対する前記第１境界と、前記決定の結果に基づいた他のアイコンの第１境界の組み合わせとして定義されることを特徴とする請求項３９に記載の表示情報制御方法。
【請求項４３】
予め定められた動作を実行する前記ステップは、
前記第２領域が前記第１領域と重畳する間、前記少なくともいずれか１つのアイコンおよび他のアイコンを含む前記第１領域のそれぞれの第２境界を考慮した、前記第２領域の境界に対する複数の位置測定に基づく前記予め定められた動作を制御することであることを特徴とする請求項４２に記載の表示情報制御方法。
【請求項４４】
予め定められた動作を実行する前記ステップは、
前記第１領域および前記第２領域が重畳して測定される測定時間を考慮して前記予め定められた動作を制御するステップ、
を含み、
前記予め定められた動作は、前記測定時間に基づいた前記第１領域内のアイコンに対する互いに異なる相互作用の制御であることを特徴とする請求項４２に記載の表示情報制御方法。
【請求項４５】
前記予め定められた動作を実行する前記ステップは、
前記第１領域内の残存アイコンと、互いに異なるように前記第２領域と接近した前記第１領域内のアイコンを制御する前記互いに異なる相互作用を制御し、前記測定時間経過後には前記残存アイコンに対する制御を終了し、前記第２領域と接近した前記第１領域内のアイコンの制御を維持するステップ、
を含むことを特徴とする請求項４４に記載の表示情報制御方法。
【請求項４６】
前記互いに異なる相互作用は、前記第１領域内のそれぞれのアイコンに対応するオーディオを再生することを含み、前記測定時間経過後、前記残存アイコンに対応するオーディオ音量が停止するように制御され、他の測定時間の間、前記接近したアイコンのオーディオが再生されるように制御されることを含む請求項４５に記載の表示情報制御方法。
【請求項４７】
前記予め定められた動作を実行する前記ステップは、
前記入力部に対する感知された指示方向に基づいて前記予め定められた動作を制御するステップを含み、
前記予め定められた動作は、前記感知された指示方向に基づく前記第１領域内のアイコンとの相互作用に対するそれぞれの制御を含むことを特徴とする請求項４２に記載の表示情報制御方法。
【請求項４８】
前記相互作用に対するそれぞれの制御は、前記感知された指示方向に基づく前記第１領域内のそれぞれのアイコンに対応するオーディオの再生を含み、前記指示方向の変化に基づく前記第１領域内の少なくとも１つのアイコンに対応するオーディオに対する音量を制御することを含む請求項４７に記載の表示情報制御方法。
【請求項４９】
前記予め定められた動作を実行する前記ステップは、
前記入力部の感知された指示方向に基づいて前記予め定められた動作を制御することであることを特徴とする請求項３５に記載の表示情報制御方法。
【請求項５０】
前記予め定められた動作は、前記感知された指示方向に基づいて前記少なくとも１つのアイコンに対応するオーディオの再生を含み、
前記予め定められた動作を実行する前記ステップは、
前記入力部の指示方向の変化に基づいて前記少なくとも１つのアイコンに対応するオーディオの音量を制御することを特徴とする請求項４９に記載の表示情報制御方法。
【請求項５１】
前記選択された少なくとも１つのアイコンがメディアファイルと関連するアイコンを含む場合、前記予め定められた動作を実行するステップは、前記メディアファイルを再生することを特徴とする請求項３５に記載の表示情報制御方法。
【請求項５２】
前記予め定められた動作を実行するステップは、前記メディアファイルのハイライト部分を再生することを特徴とする請求項５１に記載の表示情報制御方法。
【請求項５３】
前記メディアファイルのハイライト部分は、前記選択された少なくとも１つのアイコンの選択以前に予め選定された前記メディアファイルの部分であることを特徴とする請求項５２に記載の表示情報制御方法。
【請求項５４】
前記予め定められた動作を実行するステップは、前記第１領域および前記第２領域の位置に基づいて、前記再生されるメディアファイルの音量を調節して前記メディアファイルを再生することを特徴とする請求項５１に記載の表示情報制御方法。
【請求項５５】
第１入力信号は前記入力装置を介して受信され、前記第２入力信号は他の装置を介して受信され、
前記予め定められた動作を実行するステップは、
前記少なくとも１つ以上のアイコンが選択されて維持される間、前記第２入力信号に対応する他の第２領域および前記第１領域間の関係に基づいて前記メディアファイルのファイル情報の表示を制御するステップを含むことを特徴とする請求項５１に記載の表示情報制御方法。
【請求項５６】
前記選択された少なくとも１つのアイコンが文書ファイルと関連するアイコンを含む場合、前記予め定められた動作を実行するステップは、前記文書ファイルの内容および前記文書ファイルのファイル情報のうちの少なくとも１つを前記ディスプレイ上に表示することを特徴とする請求項３５に記載の表示情報制御方法。
【請求項５７】
前記予め定められた動作を実行するステップは、前記第１領域および前記第２領域の位置に基づいて、前記文書ファイルの内容の容量または前記文書ファイルのファイル情報の容量のうちの少なくとも１つを調節して前記ディスプレイ上に表示することを特徴とする請求項５６に記載の表示情報制御方法。
【請求項５８】
前記ファイル情報は、タイトル、要約、およびキーワードのうちの少なくとも１つを含むことを特徴とする請求項５６に記載の表示情報制御方法。
【請求項５９】
前記少なくとも１つ以上のアイコンを選択する前記ステップは、
前記少なくとも１つ以上のアイコンを選択する前記第１領域および前記第２領域に対する前記第１比較後の選定された期間以後、前記選択された少なくとも１つ以上のアイコンの選択を制御することであることを特徴とする請求項３５に記載の表示情報制御方法。
【請求項６０】
前記予め定められた動作を実行するステップは、
重畳する前記第１領域と前記第２領域、および前記重畳する前記第１領域と前記第２領域の重畳して維持される測定時間に基づいて、前記選択された少なくとも１つ以上のアイコンによって提供される情報を制御することを特徴とする請求項３５に記載の表示情報制御方法。
【請求項６１】
前記選択された少なくとも１つのアイコンがイメージファイルと関連するアイコンを含む場合、前記予め定められた動作を実行するステップは、前記イメージファイルのプレビューイメージを前記ディスプレイ上に表示することを特徴とする請求項３５に記載の表示情報制御方法。
【請求項６２】
前記選択された少なくとも１つのアイコンが複数のイメージファイルを格納するフォルダと関連するアイコンを含む場合、前記予め定められた動作を実行するステップは、前記複数のイメージファイルのうちの少なくとも１つのイメージファイルのプレビューイメージを前記ディスプレイ上に表示することを特徴とする請求項３５に記載の表示情報制御方法。
【請求項６３】
前記予め定められた動作を実行するステップは、前記第１領域および前記第２領域の位置に基づいて、前記ディスプレイ上に表示される前記プレビューイメージの数を調節することを特徴とする請求項６２に記載の表示情報制御方法。
【請求項６４】
前記第１領域および前記第２領域に対する位置情報をデータベースに格納するステップと、
前記選択された少なくとも１つ以上のアイコンに対するリストを格納するステップと、
を含み、
予め定められた動作を実行する前記ステップは、
前記格納されたリストに基づいて前記選択された少なくとも１つ以上のアイコンに対する前記予め定められた動作を実行するステップ、
を含むことを特徴とする請求項３５に記載の表示情報制御方法。
【請求項６５】
前記選択された少なくとも１つのアイコンに対するリストは、
それぞれのアイコンに対する相対的な第１領域が重畳していないアイコンに対するリストを含むことを特徴とする請求項６４に記載の表示情報制御方法。
【請求項６６】
請求項３５の方法を実行するプログラムを記録したコンピュータで読み取り可能な記録媒体。
【請求項６７】
少なくとも１つ以上のアイコンをディスプレイ上に表示する表示部と、
前記少なくとも１つ以上のアイコンに対応する第１領域および入力装置を介して定義される前記ディスプレイ上の位置を表示する第２領域に基づいて、前記少なくとも１つ以上のアイコンを選択する選択部と、
前記少なくとも１つ以上のアイコンが選択されて維持される間、前記選択された少なくとも１つ以上のアイコンによって提供される情報に対して予め定められた動作を実行する制御部と、
を備え、
前記予め定められた動作は、前記第１領域および前記第２領域が連続して重畳する間、前記第２領域の相対的な位置変化に基づいて、前記選択された少なくとも１つ以上のアイコンによって提供される情報の制御を動的に変化することを特徴とする表示情報制御装置。
【請求項６８】
複数のアイコンをディスプレイ上に表示する表示部と、
前記複数のアイコンのうち、第１アイコンおよび第２アイコンが閾値距離内に存在するかを決定し、
前記第１アイコンおよび前記第２アイコンに対して独立的に定義された第１領域の組み合わせに対応する第１領域、および前記決定結果、前記第１アイコンおよび前記第２アイコンが互いに閾値距離内に存在する場合、入力部を介して定義され、前記ディスプレイ上の位置を表示する第２領域の比較に基づいて前記第１アイコンおよび前記第２アイコンを集合的に選択し、
前記第１アイコンおよび前記第２アイコンが前記閾値距離内に存在しない場合、前記第１アイコンおよび前記第２アイコンの前記第１領域および第２領域の比較に基づいて前記第１アイコンおよび前記第２アイコンのうちのいずれか１つを選択する選択部と、
前記選択部によって選択された前記１つまたは１つ以上のアイコンが維持される間、前記選択された１つまたは１つ以上のアイコンによって提供される情報に対応する予め定められた動作を実行する制御部と、
を含むことを特徴とする表示情報制御装置。
【請求項６９】
少なくとも１つ以上のアイコンをディスプレイ上に表示する表示部と、
前記少なくとも１つ以上のアイコンに対応する定義された第１領域および第１入力部を介して定義されて前記ディスプレイ上の位置を提供する第２領域の比較に基づいて前記少なくとも１つ以上のアイコンの第１選択を実行する選択部と、
前記選択された少なくとも１つ以上のアイコンによって提供される情報に対する予め定められた動作を実行する制御部と、
を備え、
前記予め定められた動作は、第２入力部の制御および前記第１領域と前記少なくとも１つ以上のアイコンが選択されて維持される間、前記第２入力部によって定義されたディスプレイ上の部分を表示する他の第２領域の比較に基づいて実行されることを特徴とする表示情報制御装置。
【請求項７０】
少なくとも１つ以上のアイコンを表示するステップと、
前記少なくとも１つ以上のアイコンに対応する第１領域および入力装置を介して定義される前記ディスプレイ上の位置を表示する第２領域に基づいて前記少なくとも１つ以上のアイコンを選択するステップと、
前記少なくとも１つ以上のアイコンが選択されて維持される間、前記選択された少なくとも１つ以上のアイコンによって提供される情報に対する予め定められた動作を実行するステップと、
を含み、
前記予め定められた動作は、前記第１領域および前記第２領域が連続して重畳される間、前記第２領域の相対的な位置変化に基づいて前記選択された少なくとも１つ以上のアイコンによって提供される情報の制御を動的に変化することを含むことを特徴とする表示情報制御方法。
【請求項７１】
複数のアイコンを表示するステップと、
前記複数のアイコンのうち、第１アイコンおよび第２アイコンが閾値距離内に存在するかを決定するステップと、
前記第１アイコンおよび前記第２アイコンに対して独立的に定義された第１領域の組み合わせに対応する第１領域、および前記決定結果、前記第１アイコンおよび前記第２アイコンが互いに閾値距離内に存在する場合、入力部を介して定義されて前記ディスプレイ上の位置を表示する第２領域の比較に基づいて前記第１アイコンおよび前記第２アイコンを集合的に選択するステップと、
前記第１アイコンおよび前記第２アイコンが前記閾値距離内に存在しない場合、前記第１アイコンおよび前記第２アイコンの前記第１領域および第２領域の比較に基づいて前記第１アイコンおよび前記第２アイコンのうちのいずれか１つを選択するステップと、
前記選択された前記１つまたは１つ以上のアイコンが維持される間、前記選択された１つまたは１つ以上のアイコンによって提供される情報に対応する予め定められた動作を実行するステップと、
を含むことを特徴とする表示情報制御方法。
【請求項７２】
少なくとも１つ以上のアイコンを表示するステップと、
前記少なくとも１つ以上のアイコンに対応する定義された第１領域および第１入力部を介して定義されて前記ディスプレイ上の位置を提供する第２領域の比較に基づいて前記少なくとも１つ以上のアイコンの第１選択を実行するステップと、
前記選択された少なくとも１つ以上のアイコンによって提供される情報に対する予め定められた動作を実行するステップと、
を含み、
前記予め定められた動作は、前記第２入力部の制御および前記第１領域と前記少なくとも１つ以上のアイコンが選択されて維持される間、前記第２入力部によって定義されたディスプレイ上の部分を表示する他の第２領域の比較に基づいて実行されることを特徴とする表示情報制御方法。
【発明の詳細な説明】
【技術分野】
【０００１】
本発明の実施形態は、表示情報制御装置および方法に関し、より詳細には、端末のディスプレイ上に表示された１つ以上のアイコンを直観的に処理することができる表示情報制御装置および方法に関する。
【背景技術】
【０００２】
最近、電子器機の機能が多様化している趨勢に伴い、ユーザは、電子機器を用いて様々な作業を実行できるようになった。例えば、ユーザは、電子機器を用いてメディアファイル（ｍｅｄｉａ  ｆｉｌｅ）を再生して音楽や動画などを鑑賞することができ、イメージファイル（ｉｍａｇｅ  ｆｉｌｅ）を開いて写真や絵を見ることができる。さらに、ユーザは、電子機器を用いて文書ファイル（ｄｏｃｕｍｅｎｔ  ｆｉｌｅ）に含まれた内容を確認したり、文書ファイルを編集することもできる。
【０００３】
端末に格納されたファイルを実行する場合、まず、ユーザは、実行しようとするファイルを選択しなければならないが、この場合、ユーザは、ファイル名などの制限された情報のみを用いてファイルを選択することができる。
【０００４】
一例として、メディアファイルを再生しようとする場合、題目や歌手（または俳優）などのメディアファイルの情報を格納したタグ（ｔａｇ）を用いてユーザが視覚的にタグを確認できるように表示し、タグに含まれる情報を用いて再生しようとするメディアファイルを検索することができる。
【発明の概要】
【発明が解決しようとする課題】
【０００５】
本発明の一実施形態は、ユーザが直感的にファイルまたはフォルダを検索できるようになり、ファイルまたはフォルダを検索する際に要される時間を短縮することができる装置または方法を提供する。
【課題を解決するための手段】
【０００６】
本発明の一実施形態に係る表示情報制御装置は、１つ以上のアイコンをディスプレイ上の第１領域に表示するディスプレイ表示部と、ユーザから前記ディスプレイ上の第２領域に対応する入力信号を受信する入力部と、前記第１領域および前記第２領域に基づいて前記１つ以上のアイコンのうちの少なくとも１つのアイコンを選択する選択部と、前記少なくとも１つのアイコンに対応して予め定められた動作を制御する制御部とを備える。
【０００７】
このとき、前記１つ以上のアイコンは、ファイルまたはフォルダのうちの少なくとも１つと関連することができる。
【０００８】
また、前記選択部は、前記第１領域および前記第２領域の位置に基づいて前記少なくとも１つのアイコンを選択することができる。
【０００９】
また、選択部は、前記第１領域と前記第２領域の間の距離に基づいて前記少なくとも１つのアイコンを選択することができる。
【００１０】
また、選択された少なくとも１つのアイコンがメディアファイルと関連するアイコンを含む場合、前記制御部は、前記メディアファイルを再生するように制御することができる。
【００１１】
このとき、前記制御部は、前記第１領域および前記第２領域の位置に基づいて前記再生されるメディアファイルの音量（ｖｏｌｕｍｅ）を調節し、前記メディアファイルを再生するように制御することができる。
【００１２】
また、選択された少なくとも１つのアイコンが文書ファイルと関連するアイコンを含む場合、前記制御部は、前記文書ファイルの内容および前記文書ファイルのファイル情報のうちの少なくとも１つを前記ディスプレイ上に表示するように制御することができる。
【００１３】
また、選択された少なくとも１つのアイコンがイメージファイルと関連するアイコンを含む場合、前記制御部は、前記イメージファイルのプレビューイメージ（ｐｒｅｖｉｅｗ  ｉｍａｇｅ）を前記ディスプレイ上に表示するように制御することができる。
【００１４】
また、選択された少なくとも１つのアイコンが複数のイメージファイルを格納するフォルダと関連するアイコンを含む場合、前記制御部は、前記複数のイメージファイルのうちの少なくとも１つのイメージファイルのプレビューイメージを前記ディスプレイ上に表示するように制御することができる。
【００１５】
また、本発明の一実施形態に係る表示情報制御方法は、１つ以上のアイコンをディスプレイ上の第１領域に表示するステップと、ユーザから前記ディスプレイ上の第２領域に対応する入力信号を受信するステップと、前記第１領域および前記第２領域に基づいて前記１つ以上のアイコンのうちの少なくとも１つのアイコンを選択するステップと、前記少なくとも１つのアイコンに対応して予め定められた動作を実行するステップとを含む。
【発明の効果】
【００１６】
本発明の一実施形態によれば、ユーザは、直感的にファイルまたはフォルダを検索できるようになり、ファイルまたはフォルダを検索する際に要する時間を短縮することができる。
【図面の簡単な説明】
【００１７】
【図１】本発明の一実施形態に係る表示情報制御装置の詳細な構成を示すブロック図である。
【図２ａ】本発明の一実施形態に係る第１領域および第２領域の表示情報を示す一例である。
【図２ｂ】本発明の一実施形態に係る第１領域および第２領域の表示情報を示す一例である。
【図３】本発明の一実施形態に係る表示情報制御装置によって制御される端末のディスプレイを示す図である。
【図４】本発明の他の一実施形態に係る表示情報制御装置によって制御される端末のディスプレイを示す図である。
【図５】本発明のさらに他の一実施形態に係る表示情報制御装置によって制御される端末のディスプレイを示す図である。
【図６】本発明の一実施形態に係る表示情報制御方法を示すフローチャートである。
【発明を実施するための形態】
【００１８】
以下、添付の図面に基づき、本発明の好適な実施の形態を詳細に説明するが、本発明がこれらの実施形態によって制限または限定されることはない。図中、同じ参照符号は同じ部材を示す。
【００１９】
図１は、本発明の一実施形態に係る表示情報制御装置の詳細な構成を示すブロック図である。
【００２０】
本発明の一実施形態に係る表示情報制御装置１００は、表示部１１０と、入力部１２０と、選択部１３０と、制御部１４０とを備える。また、本発明の一実施形態によれば、表示情報制御装置１００は、データベース（図示せず）をさらに備えることができる。以下、各構成要素別にその機能を詳述する。
【００２１】
表示部１１０は、１つ以上のアイコンをディスプレイ上の第１領域に表示する。一例として、表示部１１０は、１つ以上のアイコンを背景画面に表示することができる。
【００２２】
第１領域は、アイコンが存在するディスプレイ上の領域を意味する。ディスプレイ上で１つ以上のアイコンが散らばって配置されていれば、第１領域もディスプレイ上に散らばって存在する。
【００２３】
本発明の一実施形態によれば、１つ以上のアイコンは、ファイルまたはフォルダのうちの少なくとも１つと関連することができる。
【００２４】
すなわち、１つ以上のアイコンは、ファイルアイコンまたはフォルダアイコンのうちの少なくとも１つを含むことができる。ここで、アイコン（ｉｃｏｎ）は、ファイルまたはフォルダなどをユーザが直感的に認識できるようにディスプレイ上に表示する小さい絵または記号を意味する。一例として、ファイルアイコンは、音楽ファイルや動画ファイルなどに対するメディアファイルアイコン、写真や絵などに対するイメージファイルアイコン、文書ファイルアイコンとすることができる。
【００２５】
入力部１２０は、ユーザからディスプレイ上の第２領域に対応する入力信号を受信する。
【００２６】
第２領域は、入力信号によってポインティングされる地点と対応するディスプレイ上の領域を意味する。
【００２７】
本発明の一実施形態によれば、入力部１２０は、タッチパネルまたはマウスのうちの少なくとも１つを介してユーザから入力信号を受信することができる。
【００２８】
一例として、ディスプレイの下端に配置されたタッチパネルを介してユーザから入力信号を受信する場合、第２領域は、タッチ入力信号が感知されたタッチパネル（または表示）上の領域と対応することができ、他の一例として、マウスを介してユーザから入力信号を受信する場合、第２領域は、マウスカーソル（ｃｕｒｓｏｒ）が表示されるディスプレイ上の領域に対応することができる。
【００２９】
また、本発明の一実施形態によれば、入力部１２０は、タッチパネルおよびマウスだけでなく、赤外線センサ、カメラ、静電容量センサ（ｃａｐａｃｉｔｉｖｅ  ｓｅｎｓｏｒ）、および電界センサ（ｅｌｅｃｔｒｉｃ  ｆｉｅｌｄ  ｓｅｎｓｏｒ）のうちの少なくとも１つを介してユーザから入力信号を受信することもできる。
【００３０】
赤外線センサは、赤外線（Ｉｎｆｒａｒｅｄ、ＩＲ）を用いたポインティング方式の入力信号を受信するために用いられる。すなわち、赤外線センサは、赤外線ポインタから放射された赤外線を受信する。赤外線を用いたポインティング方式の入力信号は、赤外線センサだけでなく、赤外線カメラを用いて受信することもできる。
【００３１】
カメラは、ビジュアルコード（ｖｉｓｕａｌ  ｃｏｄｅ）を用いたポインティング方式の入力信号を受信するために用いることができる。ビジュアルコードは、任意の形状を有するタグである。カメラは、ビジュアルコードを構成するタグの形状を予め格納しているため、カメラは、格納されたビジュアルコードを構成するタグの形状と同じ形状を有するタグを認識し、認識されたタグが示す方向を感知する。
【００３２】
また、カメラは、任意の物体を用いたポインティング方式の入力信号を受信するためにも用いることができる。この場合、任意の物体そのものがポインティングの入力として認識される。
【００３３】
本発明の一実施形態によれば、カメラまたは入力認識装置がユーザの手の動きを感知することができる場合、入力信号をポインティング装置を必要とせずに感知することができる。カメラは、互いに異なる物理的アイコンを識別することができ、入力信号は、カメラの動作または非動作によって識別されることができる。
【００３４】
本発明の一実施形態によれば、装置を制御する表示情報がテーブル表面上に位置するディスプレイと相互作用が可能なインタラクティブテーブルトップコンピュータである場合、ユーザは、テーブルトップ上の物理的アイコンを動かすことができ、ユーザは、ディスプレイ上の手の動きによる相互作用を制御できるのと同じように、アイコンと相互作用を行うことができる。
【００３５】
静電容量センサは、キャパシティブ（ｃａｐａｃｉｔｉｖｅ）センシングを用いたポインティング方式の入力信号を受信するために用いられ、電界センサは、電場フィールド（Ｅｌｅｃｔｒｉｃ  ｆｉｅｌｄ、ＥＦ）センシングを用いたポインティング方式の入力信号を受信するために用いられる。静電容量センサまたは電界センサを用いて入力信号を受信する場合、ディスプレイ上の座標だけでなく、ディスプレイから垂直方向への距離（高低）まで認識することができる。
【００３６】
選択部１３０は、第１領域および第２領域に基づいて１つ以上のアイコンのうちから少なくとも１つのアイコンを選択する。
【００３７】
本発明の一実施形態によれば、図２ａおよび図２ｂに示すように、第１領域には、互いに異なる距離Ｄ１とＤ２が存在することを考慮することができる。ここで、図２ａは、表示されたアイコンの距離Ｄ１を示し、アイコンの中心から等しい距離で拡張された領域を示している。
【００３８】
図２ａにおいて、それぞれのアイコンの領域が重畳した後に２つ以上のアイコンが「グループ化」した場合、それぞれの距離Ｄ１に基づいて両アイコンを囲んでいる領域は、両アイコンのグルーピング領域を表示する。この場合、それぞれのアイコンの中心からそれぞれのＤ１の距離によって定義された領域の外部限界（ｌｉｍｉｔ）は、アイコンまたはグルーピングされたアイコンの境界と見なすことができる。本発明の一実施形態によれば、両アイコンの距離Ｄ１の境界は、グループ化することができる。
【００３９】
両アイコンがグループ化する場合、グループ化した境界は、それぞれの距離Ｄ１からの外部限界として定義することができる。図２ａは、それぞれのアイコンからの距離Ｄ１が等しいものと仮定したものであり、本発明の一実施形態はこれに限定されるものではなく、それぞれのアイコンの距離Ｄ１が等しくなく、距離Ｄ１がオーバーラップすることに基づいて隣接したアイコンをグループ化して領域を定義することができる。
【００４０】
図２ｂは、「物理的アイコン」によって表示されるユーザ操作基盤のポインタまたはカーソルがアイコンまたはアイコングループを選択するために、アイコンおよびアイコングループの境界をクロスしたりタッチする場合に、距離Ｄ２の境界を定義することを示している。
【００４１】
それぞれのアイコンに対する距離Ｄ２は、それぞれのアイコンの選択を定義するための閾値、すなわち、カーソルのポインタによって選択を制御するためのアイコン領域の外部境界と見なすことができる。すなわち、距離Ｄ２の境界は、第１領域として参照することができ、ユーザによって操作されたポインタまたはカーソルは、ポインタまたはカーソルのための領域の境界を有するものとして定義することができる。ポインタまたはカーソルのための領域の境界は、第２領域と見なすことができる。
【００４２】
図に示すように、アイコンまたはアイコンのグループに対する距離Ｄ２の境界は、アイコンを選択したり選択を解除するために用いることができる。すなわち、ポインタまたはカーソルの第２領域の境界は、アイコンの第１領域と重畳することができる。さらに、ポインタまたはカーソルが距離Ｄ２の境界内で動けば、アイコンまたはアイコングループは選択されることができ、このとき、音量変化やフォルダに対する情報の制御のような付加的な制御は、それぞれのアイコンまたはアイコングループの中央にどの程度接近するかによって付加的に定義することができる。
【００４３】
また、表示されるアイコンまたはアイコングループと関連するディスプレイ上のポインタまたはカーソルの動きの参照が要求されなければ、アイコンまたはアイコングループと関連するディスプレイ上のポインタまたはカーソル指示子の表示なしにユーザがポインティングするものとして、入力部の動きを定義することができる。
【００４４】
例えば、赤外線ポインティング装置は、表示されるアイコンまたはアイコングループと関連する位置を識別することができ、対応するポインタまたはカーソルの表示なしにアイコンまたはアイコングループを制御することができる。本発明では、上述した距離Ｄ１およびＤ２に関連して論議したが、本発明は上述した事項に限定されるものではなく、距離Ｄ１およびＤ２がすべての方向に同一でない限り、Ｄ１およびＤ２の間の相対的な差に基づいたアイコンまたはアイコングループに対しても適用することができる。
【００４５】
また、アイコングループ内における各アイコンの中心からのそれぞれの距離は、アイコンを追加的に制御することもできる。例えば、２つのアイコングループが音楽ファイルまたは音楽発生因子である場合、アイコングループを同時に制御することができる。
【００４６】
グループとポインタ（カーソル）内の各アイコンの中心からの距離は、各アイコンを制御することができる。例えば、アイコンがドラム、ピアノ、音声などのような音楽の音源を表現する場合、ユーザは音源をグループ化することができるため、ピアノと音声アイコンを十分に動かすことにより、距離Ｄ１の境界を対向したりオーバーラップしたりすることができる。
【００４７】
また、ユーザは、近いポインタまたはカーソルを移動させることにより、ピアノと音声を同時に再生させることができる。また、ユーザは、２つの間の距離を変化させることにより、各アイコンの音量を調節することができる。
【００４８】
ユーザは、音声の音量を減少させる一方で、ピアノ音の音量を増加させることもできる。例えば、図２ｂに示すように、２つのアイコンの２つの中心からそれぞれの距離Ｄ２の境界の組み合わせによって形成されたアイコンがグループ化されたＤ２の境界に位置するポインタまたはカーソルにより、アイコンを選択することができる。
【００４９】
図に示すように、ユーザが矢印に沿ってポインタまたはカーソルを移動させることにより、左側のアイコンとポインタまたはカーソルとの間の距離はさらに短くなる。したがって、左側のアイコンによって調節される音楽ファイルの音量は、短い距離によって増加するように制御することができる。これと同時に、右側のアイコンとポインタまたはカーソルとの間の距離が増加する場合、右側のアイコンによって調節される音楽ファイルの音量は、次第に増加する距離に応じて減少するように制御することができる。
【００５０】
また、アイコンのグループ化内に選択されたアイコンを分離して制御することもできる。例えば、ポインタまたはカーソルがアイコンのグループ内の距離Ｄ２の境界内に位置する場合、グループ内のすべてのアイコンは選択されることができる。
【００５１】
グループの選択されたアイコンにより距離Ｄ１境界内に含まれるために、ポインタまたはカーソルが移動した場合に、他のアイコンを選択から解除することもできる。例えば、選択されたアイコンに対するポインタまたはカーソルの追加的な移動は、残りのアイコンに対して影響を及ぼさないこともあり、残りのアイコンの各動作は、選択取消しに変わったり、動作を持続することができるなどの個別的な制御が可能となる。
【００５２】
すなわち、選択部１３０は、１つ以上のアイコンのそれぞれの位置および入力信号に対応するディスプレイ上の位置に基づいて、１つ以上のアイコンのうちから少なくとも１つのアイコンを選択する。一例として、第２領域がマウスカーソルが位置する領域である場合、選択部１３０は、マウスカーソルの位置とアイコンの位置に基づいて、少なくとも１つのアイコンを選択する。例えば、上述したように、距離Ｄ２の境界が第２領域の境界とアイコンの境界の基礎となる。
【００５３】
具体的に、本発明の一実施形態に係るカーソルの指向性情報およびそれぞれの第２領域は、ポインタまたはカーソルに定義された形態から指定されることができる。第２領域は、本発明の一実施形態に係るポインティングの矢印の外側の境界として定義することができる。例えば、ポインタまたはカーソルによる追加的な指向性情報は、ユーザまたは慣性測定部のような可能な技術によって定義することができる。
【００５４】
指向性情報、アイコングループまたはアイコンによる距離Ｄ２、および第２領域による境界は、アイコンまたはアイコングループ（制御されたアイコングループ化内の類似した個別的アイコン）を制御することもできる。
【００５５】
第２領域、例えば、ポインタまたはカーソルによる境界がアイコンまたはアイコングループの距離Ｄ２の境界内に到達した場合、すなわち、第１領域の境界またはアイコンまたはアイコングループによって選択された場合、ユーザは、ポインタまたはカーソルの指向性方向の修正（ポインタまたはカーソルを回転させる動作）などによってアイコンまたはアイコングループを制御することができる。
【００５６】
上述したように、本発明は、１つ以上のポインタまたはカーソルが表示されることを要求しないが、１つ以上の実施形態によって複数のポインタまたはカーソル制御用装置を含むこともできる。
【００５７】
音量調節の例を挙げれば、第１ポインティング装置は、アイコンまたはアイコングループの距離Ｄ２の境界内で作動し、アイコンまたはアイコングループによって表現された選択音楽ファイルの音量を制御するために回転することもできる。第２ポインティング装置は、アイコンまたはアイコングループの他の特徴を制御するために、同じアイコンまたは第１ポインティング装置によって既に制御されたアイコンと他のアイコンを用いることもできる。
【００５８】
ポインティング装置としてキーボードを例に挙げれば、アイコンまたはアイコングループが選択されると、ユーザはキーボードを用いてアイコンまたはアイコングループを制御することができる。例えば、キーボードは、矢印キーのカーソル移動またはキーボードのトラックパッドによってポインティング装置を作動することができる。
【００５９】
また、それぞれのポインタまたはカーソルの移動は、アイコンまたはアイコングループの動作制御に用いられることができる。例えば、ポインタまたはカーソルが時間の閾値周期に沿って距離Ｄ２の境界に留まる場合、ディスプレイは、アイコンまたはアイコングループに関する制限された情報を示すのを中止するように制御することができ、アイコンまたはアイコングループに対する付加情報を表示できるようにする。
【００６０】
例えば、ＭＰ３ファイルの場合、ポインタまたはカーソルが所定の周期を表現するためのＭＰ３ファイルのグループ化された距離Ｄ２の境界内に留まる場合、アイコングループに近いアイコンは音量を増加させることができ、他のアイコングループは音量を次第に減少させながらプレイを止めることができる。
【００６１】
アイコンまたはグルーピング内の個別的アイコンの個別的区間のための追加的な制御が、移動に基づく時間に沿って同等に用いられることもできる。
【００６２】
上述したように、ポインタまたはカーソルがタッチされたり、ポインタまたはカーソルのための時間持続区間に留まったり、アイコンまたはアイコングループの距離Ｄ２の境界が閾値に到達しなかったり、潜在的にアイコンまたはアイコングループが選択されない場合、アイコンまたはアイコングループに対するポインタまたはカーソルの移動がアイコンまたはアイコングループの状態を変化させたり、十分なものと見なすことができる。
【００６３】
このとき、本発明の一実施形態によれば、第１領域と第２領域は互いに重ならないことがある。
【００６４】
また、本発明の一実施形態によれば、選択部１３０は、第１領域および第２領域の位置に基づいて、少なくとも１つのアイコンを選択することができる。
【００６５】
また、本発明の一実施形態によれば、選択部１３０は、第１領域と第２領域の間の距離に基づいて、少なくとも１つのアイコンを選択することができる。
【００６６】
すなわち、アイコンの位置および入力信号に相応するディスプレイ上の位置からアイコンと入力信号に相応するディスプレイ上の位置間の距離を計算し、計算された距離に基づいて、少なくとも１つのアイコンを選択することができる。
【００６７】
この場合、本発明の一実施形態によれば、選択部１３０は、第２領域から所定の設定された距離内に位置する第１領域上に存在する少なくとも１つのアイコンを選択することができる。
【００６８】
アイコンと入力信号に相応するディスプレイ上の位置（すなわち、マウスカーソルの位置）間の距離（例えば、アイコンとマウスのカーソルの距離）が近い場合、ユーザは、アイコンに対して多くの関心があると解釈することができるため、本発明の一実施形態に係る選択部１３０は、第１領域と第２領域の間の距離が所定の設定された閾値よりも小さい場合、第１領域に存在するアイコンを選択するようになる。
【００６９】
このとき、第１領域と第２領域の間の距離は、それぞれの領域の中心（重心）に基づいて計算されることができる。この場合、第１領域と第２領域の間の距離は、第１領域の中心と第２領域の中心の間の距離である。
【００７０】
また、第１領域と第２領域の間の距離は、各領域の境界に基づいて計算することもできる。この場合、第１領域と第２領域の間の距離は、第１領域の境界と第２領域の境界の間の最短距離とすることができる。
【００７１】
また、閾値は、ディスプレイの大きさおよびディスプレイ上に表示されたアイコンの個数のうち少なくとも１つに基づいて設定されることができる。また、閾値は、ユーザによって任意に設定されることもできる。
【００７２】
例えば、最低閾値は、アイコンのための距離Ｄ２の境界の設定値であると言え、最低閾値は、第１領域の範囲を規定することもできる。
【００７３】
以下、図３を参照しながら、１つ以上のファイルのうちから少なくとも１つの第１アイコンを選択する選択部１３０の動作について詳しく説明する。
【００７４】
図３は、本発明の一実施形態に係る表示情報制御装置によって制御される端末に備えられたディスプレイを示す図である。
【００７５】
図３において、表示情報制御装置は、ディスプレイ２１０の下端に配置されたタッチパネルを介してユーザから入力信号を受信するものと仮定する。すなわち、図３に示すディスプレイ２１０は、タッチディスプレイであると仮定する。
【００７６】
図３に示すように、端末のディスプレイ２１０上には、音楽ファイルアイコン２２１〜２２５、動画ファイルアイコン２３１、文書ファイルアイコン２４１、２４２、イメージファイルアイコン２５１、２５２、フォルダアイコン２６０が無作為（ｒａｎｄｏｍ）に配置されている。
【００７７】
図面符号２７０は、感知されたタッチ入力信号を意味し、図面符号２７１は、タッチ入力信号の移動経路を意味する。
【００７８】
また、図面符号２８１〜２８７は、タッチ入力信号２７０が感知された位置を原点とし、所定の設定された閾値を半径とする円の内部領域（以下、閾値領域とする）の位置を意味する。図３では、説明の便宜のために、閾値領域が離散的に移動するものとして示したが、実際には閾値領域は連続的に移動する。
【００７９】
タッチ入力信号２７０が移動経路２７１に沿って移動し、閾値領域が第３位置２８３の位置に到達すれば、まず、音楽ファイルアイコン２２４が閾値領域の内部に入って来るため、選択部１３０は、音楽ファイルアイコン２２４を選択する。
【００８０】
この後、タッチ入力信号２７０は、移動経路２７１に沿って継続して移動し、これによって閾値領域が第４位置２８４に到達すれば、音楽ファイルアイコン２２２が閾値領域の内部に入って来るようになり、閾値領域内部には音楽ファイルアイコン２２２および音楽ファイルアイコン２２４が存在するため、選択部１３０は、音楽ファイルアイコン２２２および音楽ファイルアイコン２２４を選択する。
【００８１】
この後、閾値領域が第６位置２８６に到達すれば、閾値領域の内部には音楽ファイルアイコン２２２のみが存在するようになり、選択部１３０は、音楽ファイルアイコン２２２のみを選択する。
【００８２】
この後、閾値領域が第７位置２８７に到達すれば、音楽ファイルアイコン２２２は閾値領域から逸脱し、音楽ファイルアイコン２２３が閾値領域に存在するようになるため、選択部１３０は、音楽ファイルアイコン２２３を選択する。
【００８３】
再び図１を参照しながら、本発明の一実施形態に係る表示情報制御装置について説明する。
【００８４】
制御部１４０は、選択された少なくとも１つのアイコンに対応して予め定められた動作を制御する。
【００８５】
制御部１４０によって制御される予め定められた動作は、選択されたアイコンと関連するファイルまたはフォルダの処理動作を意味する。
【００８６】
上述したように、ユーザがアイコンを選択することにより、以後にアイコンを作動したり追加で動作を実行するようにすることもできる。また、アイコンを選択することは、アイコンを実際に選択する前にアイコンの境界および時間の最小期間によって存在するポインタまたはカーソルの境界の重畳に基づくこともできる。
【００８７】
本発明の一実施形態によれば、選択された少なくとも１つのアイコンがメディアファイルと関連するアイコンを含む場合、制御部１４０は、メディアファイルを再生するように制御することができる。
【００８８】
すなわち、選択されたアイコンがメディアファイルアイコンである場合、制御部１４０は、選択されたアイコンと関連するメディアファイルを再生するように制御する。この場合、メディアファイルは、ＭＰ３のような音楽ファイル（またはオーディオファイル、以下、音楽ファイルとする）とすることができ、動画ファイル（またはビデオファイル、以下、動画ファイルとする）とすることもできる。
【００８９】
メディアファイルが音楽ファイルである場合、制御部１４０は、音楽ファイルを再生するように制御し、ユーザは音楽を聞くことができるようになる。
【００９０】
メディアファイルが動画ファイルである場合、制御部１４０は、プレビュー（ｐｒｅｖｉｅｗ）形態の再生ウィンドウ（ｗｉｎｄｏｗ）を介して動画を再生するように制御し、ユーザは動画を視聴することができるようになる。このとき、再生ウィンドウは、動画アイコンの周りに生成されることができる。
【００９１】
例えば、本発明は、１つ以上のディスプレイが存在することがあり、動画ファイルの選択が選択的に他のディスプレイに映し出されることもできる。
【００９２】
もし、選択されたアイコンが複数である場合、制御部１４０は、複数のメディアファイルすべてを再生するように制御することができる。
【００９３】
上述したように、複数のアイコンは、上述した距離Ｄ１の境界を重畳する場合に選択されることもできる。このとき、複数の入力装置が用いられる場合、重畳する境界を介して形成されるグループにおいて、複数のアイコンをグループまたは個別に制御することもできる。
【００９４】
すなわち、図３に示すように、閾値領域が第４位置２８４〜第５位置２８５に存在する場合、音楽ファイルアイコン２２２および音楽ファイルアイコン２２４が選択されるが、この場合、制御部１４０は、音楽ファイルアイコン２２２と関連する音楽ファイルと音楽ファイルアイコン２２４と関連する音楽ファイルのすべてを再生するように制御することができる。
【００９５】
本発明の一実施形態によれば、制御部１４０は、メディアファイルを開始地点から再生するように制御することができる。
【００９６】
また、本発明の他の一実施形態によれば、制御部１４０は、メディアファイルのハイライト（ｈｉｇｈｌｉｇｈｔ）部分を再生するように制御することができる。
【００９７】
制御部１４０がメディアファイルのハイライト部分を再生するように制御する場合、メディアファイルの開始地点から再生するように制御する場合よりも、メディアファイルの内容を迅速に認知することができる。
【００９８】
このとき、ハイライト部分は、制御部１４０によって任意に設定されることもでき、メディアファイル製作者によって設定されることもできる。
【００９９】
本発明の一実施形態によれば、制御部１４０は、第１領域および第２領域の位置に基づいて、再生されるメディアファイルの音量を調節することができる。
【０１００】
上述したように、第１領域と第２領域の間の位置が近いほど、ユーザは、第１領域に存在するアイコンと関連するメディアファイルに対する関心が多いと解釈することができるため、本発明の一実施形態によれば、制御部１４０は、第１領域と第２領域の間の距離に反比例して再生されるメディアファイルの音量を調節してメディアファイルが再生されるように制御することができる。
【０１０１】
すなわち、本発明の一実施形態によれば、制御部１４０は、第１領域と第２領域の間の距離が近くなるほど、再生されるメディアファイルの音量を増加させ、第１領域と第２領域の間の距離が遠くなるほど、再生されるメディアファイルの音量を減少させることができる。これは、既存の音楽ファイル再生に用いられるフェード−イン／フェード−アウト（ｆａｄｅ−ｉｎ／ｆａｄｅ−ｏｕｔ）機能に対応することができる。
【０１０２】
また、本発明の他の一実施形態によれば、制御部１４０は、第１領域および第２領域の位置以外に複数のメディアファイルそれぞれの第１領域の位置をさらに考慮して、再生されるファイルメディアの音量を調節することができる。
【０１０３】
選択部１３０が２つの音楽ファイルアイコンを選択し、制御部１４０が２つの音楽ファイルアイコンと関連する２つの音楽ファイルを同時に再生する場合において、２つの音楽ファイルアイコンが隣接して配置されていれば、２つの音楽ファイルすべてが大きい音量で再生され、ユーザが望まない結果を招くことがある。
【０１０４】
したがって、このような場合、制御部１４０は、２つの音楽ファイルアイコン間の距離をさらに考慮して、再生される音楽ファイルの音量を調節する。
【０１０５】
すなわち、制御部１４０は、２つのファイルのうちで第２領域とより近い距離に位置する音楽ファイルの音量をより大きくし、第２領域とより遠い距離に位置する音楽ファイルの音量をより小さく調節することができる。
【０１０６】
このとき、ユーザは、音楽ファイルのアイコンの１つまたは２つの移動を制御することができる。例えば、ポインタまたはカーソルに対応する複数のボタンを有するマウスを用いてマウスを作動する間、１つのボタンを押した状態で選択されたアイコンを移動し、選択されたアイコンを作動するように制御することができる。このとき、移動は、グループ化されたアイコンの近いものに制限されたり、両側のアイコンの距離が同じ場合、両側のアイコンすべてを作動することもできる。
【０１０７】
本発明の一実施形態によれば、メディアファイルが動画ファイルである場合、制御部１４０は、上述した音量調節に付け加えて、再生ウィンドウの大きさをさらに調節することができる。
【０１０８】
すなわち、制御部１４０は、第１領域と第２領域の間の距離が近くなるほど、再生される動画ファイルの音量と再生ウィンドウの大きさを増加させ、第１領域と第２領域間の距離が遠くなるほど、再生される動画ファイルの音量と再生ウィンドウの大きさを減少させることができる。
【０１０９】
本発明の一実施形態によれば、入力部１２０は、第１領域に対応する第２入力信号をさらに受信し、制御部１４０は、メディアファイルのファイル情報をディスプレイ上に表示するように制御することができる。
【０１１０】
このとき、グループ化されたアイコンは、同じタイプのみに限って生成されるものではない。例えば、動画ファイルアイコンは、１つ以上の音楽ファイルアイコンでグループ化して生成することができる。他の例として、複数の動画ファイルアイコンは、例えば、ポインタまたはカーソルの移動またはディスプレイ上で互いに重畳することによってアイコンが１つに重なる場合、所定の定義された相互作用によって実現されるように制御することもできる。さらに他の例として、グループ化されたアイコンは、同じように利用が可能である。
【０１１１】
すなわち、入力部１２０が付加的に１つの入力信号、すなわち第２入力信号をさらに受信し、受信された第２入力信号に相応するディスプレイ上の第２領域が選択されたアイコンが存在する第１領域と重なる場合、制御部１４０は、第１領域に存在するアイコンと関連するメディアファイルのファイル情報をディスプレイ上に表示するように制御することができる。この場合、メディアファイルは、継続して再生状態にある。
【０１１２】
以下、図４を参照しながら、選択されたアイコンがメディアファイルと関連するアイコンであり、入力部１２０が２つの入力信号を受信した場合の制御部１４０の動作について詳しく説明する。
【０１１３】
図４は、本発明の他の一実施形態に係る表示情報制御装置によって制御される端末のディスプレイを示す図である。
【０１１４】
入力信号２７０は第１入力信号を、入力信号２９０は第２入力信号を示す。
【０１１５】
本発明の一実施形態によれば、２つの入力信号は、互いに異なる入力手段を介してユーザから入力されることができる。
【０１１６】
また、本発明の他の一実施形態によれば、２つの入力信号は、タッチパネルを介して受信されることができる。この場合、表示情報制御装置によって制御される端末に備えられたディスプレイはタッチディスプレイであり、タッチディスプレイは、互いに異なる２つの入力信号を区別して受信することができる。
【０１１７】
一例として、タッチディスプレイは、ユーザの手を介して入力された第１入力信号と、ユーザの手以外のオブジェクトを介して入力された第２入力信号を個別の入力信号として認識することができる。
【０１１８】
以下、タッチディスプレイを介して２つの入力信号すべてを受信するものと仮定する。すなわち、２つの入力信号はすべてタッチ入力信号である。
【０１１９】
図４に示すように、閾値領域は第８位置２８８に存在する。したがって、選択部１３０は、音楽ファイルアイコン２２４を選択し、制御部１４０は、音楽ファイルアイコン２２４と関連する音楽ファイルを再生するように制御する。
【０１２０】
このとき、再生中である音楽ファイルと関連する音楽ファイルアイコン２２４の位置する第１領域において第２タッチ入力信号が感知されれば、制御部１４０は、音楽ファイルアイコン２２４と関連する音楽ファイルに対するファイル情報２２４１がディスプレイ上に表示されるように制御する。図３に示すように、ファイル情報２２４１は、音楽ファイルアイコン２２４の周辺に表示されることができる。図４に示すように、ファイル情報２２４１は、音楽ファイルに格納された歌の題目、歌手名、作曲者名などを含むことができる。
【０１２１】
すなわち、ユーザは、音楽を鑑賞している途中に音楽ファイルに対する情報を知ろうとする場合、音楽ファイルを選択して音楽ファイルに対する情報を確認することができる。これにより、ユーザは、視覚および聴覚をすべて用いて再生しようとする音楽ファイルを検索できるようになり、より迅速に音楽ファイルを検索することができる。
【０１２２】
再び図１を参照しながら、本発明の一実施形態に係る表示情報制御装置について説明する。
【０１２３】
本発明の一実施形態によれば、選択された少なくとも１つのアイコンが文書ファイルと関連するアイコンを含む場合、制御部１４０は、文書ファイルの内容および文書ファイルのファイル情報のうちの少なくとも１つをディスプレイ上に表示するように制御することができる。
【０１２４】
この場合、本発明の一実施形態によれば、制御部１４０は、第１領域および第２領域の位置に基づいて、文書ファイルの内容の容量または文書ファイルのファイル情報の容量のうちの少なくとも１つを調節して、ディスプレイ上に表示するように制御することができる。
【０１２５】
例えば、制御部１４０は、第１領域と第２領域の間の距離が近くなるほど、表示される文書ファイルの内容の容量を増加させ、第１領域と第２領域間の距離が遠くなるほど、表示される文書ファイルの内容の容量を減少させることができる。
【０１２６】
また、本発明の一実施形態によれば、ディスプレイ上に表示される文書ファイルのファイル情報は、タイトル（ｔｉｔｌｅ）、要約（ａｂｓｔｒａｃｔ）、およびキーワード（ｋｅｙｗｏｒｄ）のうちの少なくとも１つを含むことができる。
【０１２７】
本発明の一実施形態によれば、選択された少なくとも１つのアイコンがイメージファイルと関連するアイコンを含む場合、制御部１４０は、イメージファイルのプレビューイメージをディスプレイ上に表示するように制御することができる。一例として、プレビューイメージは、イメージファイルアイコンの周辺に生成されることができる。
【０１２８】
また、本発明の一実施形態によれば、選択された少なくとも１つのアイコンが複数のイメージファイルを格納するフォルダと関連するアイコンを含む場合、制御部１４０は、複数のイメージファイルのうちの少なくとも１つのイメージファイルのプレビューイメージをディスプレイ上に表示するように制御することができる。
【０１２９】
このとき、選択的または他の実施形態が同じように移動が可能であるという点に照らし合わせ、イメージのサイズまたはイメージの番号は、アイコンの領域に対するポインタまたはカーソルの位置設定に基づいて制御されることができる。
【０１３０】
この場合、本発明の一実施形態によれば、制御部１４０は、第１領域および第２領域の位置に基づいて、ディスプレイ上に表示されるプレビューイメージの数を調節することができる。
【０１３１】
以下、図５を参照しながら、本発明の一実施形態によってディスプレイ上にフォルダに格納された複数のイメージファイルのプレビューイメージを表示するように制御する制御部１４０の動作について詳しく説明する。
【０１３２】
図５は、本発明のさらに他の一実施形態に係る表示情報制御装置によって制御される端末のディスプレイを示す図である。
【０１３３】
図５でも、入力信号はタッチパネルを備えたタッチディスプレイを介して受信されるタッチ入力信号であると仮定する。
【０１３４】
このとき、タッチ入力信号２７０は、移動経路２７２に沿って移動する。このとき、閾値領域が第９位置２８９に存在する場合、閾値領域はフォルダアイコン２６０を含む（閾値領域にはイメージファイルアイコン２５１も含まれるが、これに対する説明は省略する）。
【０１３５】
この場合、制御部１４０は、フォルダアイコン２６０と関連するフォルダに含まれる複数のイメージファイルのうちの少なくとも１つのイメージファイルに対するプレビューイメージがディスプレイ上に表示されるように制御する。図５では、４つのプレビューイメージ２６１〜２６４がフォルダアイコン２６０の周辺に表示されるものと仮定した。
【０１３６】
このとき、制御部１４０は、タッチ入力信号２７０の位置とフォルダアイコン２６０の位置間に基づいて、表示されるプレビューイメージの数を調節することができる。例えば、制御部１４０は、タッチ入力信号２７０とフォルダアイコン２６０が近くなるほど、表示されるプレビューイメージの数を増加させ、タッチ入力信号２７０とフォルダアイコン２６０が遠くなるほど、表示されるプレビューイメージの数を減少させることができる。
【０１３７】
再び図１を参照しながら、本発明の一実施形態に係る表示情報制御装置について説明する。
【０１３８】
上述したように、表示情報制御装置１００は、データベース（図示せず）をさらに備えることができるが、データベース（図示せず）は、第１領域および第２領域のうちの少なくとも１つを格納する。格納された第１領域および第２領域は、複数のアイコンおよび入力信号に相応するディスプレイ上の位置が変更されるたびに更新（ｕｐｄａｔｅ）される。
【０１３９】
例えば、要求される重畳期間に符合したり要求がなされない場合、ディスプレイ上で横切るポインタまたはカーソルの移動は、第１領域が第２領域によって重畳されるように複数のアイコンを選択することができ、重畳を経る間、アイコンの選択は維持することができる。例えば、複数の選択されたアイコンは、集合的または連続的に制御されることができる。
【０１４０】
また、データベース（図示せず）は、選択された少なくとも１つのアイコンに対するリストをさらに格納することができる。
【０１４１】
このとき、第２領域がディスプレイ上で移動する場合、データベースは、第２領域の移動によって順に選択された少なくとも１つのアイコンすべてに対するリストを格納することができる。
【０１４２】
例えば、図３で説明したように、入力信号２７０が移動経路２７１に沿って移動する場合、音楽ファイルアイコン２２４、音楽ファイルアイコン２２２、および音楽ファイルアイコン２２３が順に選択されるが、この場合、データベース（図示せず）は、選択された音楽ファイルアイコン（音楽ファイルアイコン２２４、音楽ファイルアイコン２２２、および音楽ファイルアイコン２２３）のリストを生成して格納することができる。
【０１４３】
このとき、制御部１４０は、データベース（図示せず）に格納されたリストによって、少なくとも１つの音楽ファイルが順に再生されるように制御することができる。また、制御部１４０は、格納されたリストによって、少なくとも１つの音楽ファイルが同時に再生されるように制御することもできる。
【０１４４】
図６は、本発明の一実施形態に係る表示情報制御方法を示すフローチャートである。
【０１４５】
まず、ステップＳ５１０では、１つ以上のアイコンをディスプレイ上の第１領域に表示する。
【０１４６】
本発明の一実施形態によれば、１つ以上のアイコンは、ファイルまたはフォルダのうちの少なくとも１つと関連することができる。すなわち、１つ以上のアイコンは、ファイルアイコン、フォルダアイコンのうちの少なくとも１つを含むことができる。
【０１４７】
ステップＳ５２０では、ユーザからディスプレイ上の第２領域に対応する入力信号を受信する。
【０１４８】
本発明の一実施形態によれば、ステップＳ５２０では、タッチパネル、マウス、赤外線センサ、カメラ、静電容量センサ、および電界センサのうちの少なくとも１つを介してユーザから入力信号を受信することができる。
【０１４９】
ステップＳ５３０では、第１領域および第２領域に基づいて、１つ以上のアイコンのうちから少なくとも１つのアイコンを選択する。
【０１５０】
本発明の一実施形態によれば、ステップＳ５３０では、第１領域および第２領域の位置に基づいて、少なくとも１つのアイコンを選択することができ、第１領域と第２領域の間の距離に基づいて、少なくとも１つのアイコンを選択することができる。
【０１５１】
この場合、本発明の一実施形態によれば、ステップＳ５３０では、第２領域から所定の設定された距離内に位置する第１領域上に存在する少なくとも１つのアイコンを選択することができる。
【０１５２】
ステップＳ５４０では、選択された少なくとも１つのアイコンに予め定められた動作を実行する。
【０１５３】
本発明の一実施形態によれば、選択された少なくとも１つのアイコンがメディアファイルと関連するアイコンを含む場合、ステップＳ５４０では、メディアファイルを再生することができる。すなわち、選択されたアイコンがメディアファイルアイコンである場合、ステップＳ５４０では、選択されたアイコンと関連するメディアファイルを再生する。ステップＳ５３０において複数のアイコンが選択された場合、ステップＳ５４０では、複数のメディアファイルすべてを再生することができる。
【０１５４】
本発明の他の一実施形態によれば、ステップＳ５４０では、メディアファイルのハイライト部分を再生することができる。
【０１５５】
また、本発明の一実施形態によれば、ステップＳ５４０では、第１領域および第２領域の位置に基づいて、再生されるメディアファイルの音量を調節することができる。すなわち、ステップＳ５４０では、第１領域と第２領域の間の距離が近くなるほど、再生されるメディアファイルの音量を増加させ、第１領域と第２領域の間の距離が遠くなるほど、再生されるメディアファイルの音量を減少させることができる。
【０１５６】
また、本発明の他の一実施形態によれば、ステップＳ５４０では、第１領域と第２領域の間の距離以外に複数のメディアファイルそれぞれの第１領域間の距離をさらに考慮して、再生されるファイルメディアの音量を調節することができる。
【０１５７】
本発明の一実施形態によれば、メディアファイルが動画ファイルである場合、ステップＳ５４０では、上述した音量調節に付け加えて、再生ウィンドウの大きさをさらに調節することができる。
【０１５８】
本発明の一実施形態によれば、ステップＳ５２０において第１領域に対応する第２入力信号をさらに受信する場合、ステップＳ５４０では、メディアファイルのファイル情報をディスプレイ上に表示することができる。この場合、メディアファイルは、継続して再生状態にある。
【０１５９】
本発明の一実施形態によれば、選択された少なくとも１つのアイコンが文書ファイルと関連するアイコンを含む場合、ステップＳ５４０では、文書ファイルの内容および文書ファイルのファイル情報のうちの少なくとも１つをディスプレイ上に表示することができる。
【０１６０】
この場合、本発明の一実施形態によれば、ステップＳ５４０では、第１領域および第２領域の位置に基づいて、文書ファイルの内容の容量または文書ファイルのファイル情報の容量のうちの少なくとも１つを調節してディスプレイ上に表示することができる。
【０１６１】
また本発明の一実施形態によれば、選択された少なくとも１つのアイコンがイメージファイルと関連するアイコンを含む場合、ステップＳ５４０では、イメージファイルのプレビューイメージをディスプレイ上に表示することができる。
【０１６２】
また、選択された少なくとも１つのアイコンが複数のイメージファイルを格納するフォルダと関連するアイコンを含む場合、ステップＳ５４０では、複数のイメージファイルのうちの少なくとも１つのイメージファイルのプレビューイメージをディスプレイ上に表示することができる。
【０１６３】
この場合、本発明の一実施形態によれば、ステップＳ５４０では、第１領域および第２領域の位置に基づいて、ディスプレイ上に表示されるプレビューイメージの数を調節することができる。
【０１６４】
以上、本発明に係る表示情報制御方法の実施形態について説明したが、図１を参照しながら上述した表示情報制御装置に関する構成が、本実施形態にもそのまま適用が可能である。このため、より詳細な説明については省略する。
【０１６５】
なお、本発明に係る表示情報制御方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【０１６６】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【０１６７】
１００：表示情報制御装置
１１０：表示部
１２０：入力部
１３０：選択部
１４０：制御部
【図１】
2010165343.tif 000003
【図２ａ】
2010165343.tif 000004
【図２ｂ】
2010165343.tif 000005
【図３】
2010165343.tif 000006
【図４】
2010165343.tif 000007
【図５】
2010165343.tif 000008
【図６】
2010165343.tif 000009